(57)【要約】【課題】飲料缶を一定温度に保温する機能を有するドリンクホルダーを備える遊技機を提供する。【解決手段】遊技機１は、前面扉２が開閉する筐体３を備える。ドリンクホルダー４は、前面扉２の前面下部に配置され、飲料缶１０が載置される搭載台５を有する。ドリンクホルダー４の搭載台５は、筐体３の内部からオン・オフ制御される保温手段を備えている。保温手段は、電熱線でもよく、飲料缶自体を加熱する電磁誘導加熱手段でもよい。本発明は、安価にドリンクホルダー付き遊技機を提供できる。【選択図】図１
2008110041.tif 000002
【特許請求の範囲】
【請求項１】
前面扉が開閉する筐体を備える遊技機であって、
前記前面扉の前面下部に配置され、飲料缶が載置される搭載台を有するドリンクホルダーを備え、
前記ドリンクホルダーの搭載台は、前記筐体の内部からオン・オフ制御される保温手段を備えることを特徴とする遊技機。
【請求項２】
前記保温手段は、電熱線であることを特徴とする請求項１記載の遊技機。
【請求項３】
前記保温手段は、前記飲料缶自体を加熱させる電磁誘導加熱手段であることを特徴とする請求項１記載の遊技機。
【請求項４】
前記ドリンクホルダーは、電力が供給される入力端子を備え、
前記前面扉は、前記入力端子が接続される出力端子を備え、
前記出力端子は、当該前面扉の前面下部に配置されることを特徴とする請求項１から３のいずれかに記載の遊技機。
【請求項５】
前記飲料缶は、略６０度に保温されることを特徴とする請求項１から４のいずれかに記載の遊技機。
【発明の詳細な説明】
【技術分野】
【０００１】
本発明は、遊技機に関する。特に、パチンコ機やスロットマシンなどの遊技機に備わるドリンクホルダーの構造に関する。
【背景技術】
【０００２】
一般に、遊技機を設置した遊技店の多くは、遊技者に対してコーヒー、ジュース、緑茶や紅茶などの飲料を提供するための自動販売機を設置している。このような遊技店では、遊技者が、缶などに収容された飲料を飲みながら遊技できるように、遊技機にドリンクホルダーを設置している。
【０００３】
前述のようなドリンクホルダー付き遊技機としては、遊技者に温かい又は冷たい飲物を提供することができ、更に、非遊技者のドリンクホルダーの使用をも排除できる遊技機が発明されている（例えば、特許文献１参照）。
【０００４】
特許文献１による遊技機は、遊技に必要な図柄を変動表示する変動表示手段と、その変動表示を制御するマイクロコンピュータなどの制御手段とを備えた遊技機において、遊技機の一部にドリンクホルダーを設けるとともに、このドリンクホルダーに、例えば電熱線からなる加熱手段を設け、この加熱手段を制御手段と連動させ、特定の条件下において電熱線を作動させ、遊技者が好む温度のドリンクとすることができる、としている。
【特許文献１】特開２００５−２７０５３８号公報
【発明の開示】
【発明が解決しようとする課題】
【０００５】
特許文献１による遊技機は、ドリンク容器の載台の側壁に、電源などの操作スイッチを設けることによって、遊技中であれば、いつでも加熱又は冷却もしくは非加熱のいずれかを選択可能にすることができる、としている。又、特許文献１による遊技機は、電流の供給のもとでペルチェ効果を生じる保温・保冷素子をドリンク容器の載台に設けることで、加熱と加冷の双方を行うようにすることもできる、としている。
【０００６】
しかし、ペルチェ効果を生じる保温・保冷素子は、一般に高価である。ドリンクホルダーに保温機能のみを特定すれば、ドリンクホルダー付き遊技機としては、安価に提供できる。更に、ドリンクホルダーを遊技機に着脱自在にすれば、電力を節約することも可能である。そして、以上のことが、本発明の課題といってよい。
【０００７】
本発明は、このような問題に鑑みてなされたものであり、飲料缶を一定温度に保温する機能を有するドリンクホルダーを備える遊技機を提供することを目的とする。
【課題を解決するための手段】
【０００８】
本発明者らは、上記目的を達成するため、飲料缶が載置されるドリンクホルダーの搭載台に保温手段を備え、この保温手段を遊技機の筐体の内部からオン・オフ制御することにより、安価にドリンクホルダー付き遊技機を提供できることを見出し、これに基づいて、以下のような新たなドリンクホルダーを備える遊技機を発明するに至った。
【０００９】
（１）  前面扉が開閉する筐体を備える遊技機であって、前記前面扉の前面下部に配置され、飲料缶が載置される搭載台を有するドリンクホルダーを備え、前記ドリンクホルダーの搭載台は、前記筐体の内部からオン・オフ制御される保温手段を備えることを特徴とする遊技機。
【００１０】
（１）の発明による遊技機は、ドリンクホルダーを有している。ドリンクホルダーは、筐体の前面扉の前面下部に配置される。又、ドリンクホルダーは飲料缶が載置される搭載台を有している。ドリンクホルダーの搭載台は筐体の内部からオン・オフ制御される保温手段を備えている。そして搭載台の保温手段がオン・オフされることにより、搭載台上に載置された飲料缶への加温及び加温の停止が行われ、飲料缶を一定温度に保温できる。
【００１１】
ここで、ドリンクホルダーは、搭載台上の飲料缶が倒れないように載置できる構造が好ましい。例えば、飲料缶を囲む立体形状の倒れ防止用のフレームを搭載台に設けてもよい。又、搭載台における飲料缶の載置部分を他の部分よりも窪ませて飲料缶の倒れを防止する構造としてもよい。
【００１２】
例えば、保温手段は電熱線でもよく、飲料缶自体を加熱する電磁誘導加熱手段でもよい。保温手段へは、筐体の内部からオン・オフ制御される。保温手段が電熱線の場合には、バイメタル式サーモスタットを筐体の内部に設け、電熱線への通電をオン・オフ制御してもよい。又、保温手段が飲料缶自体を加熱する電磁誘導加熱手段の場合には、温調器を筐体の内部に設け、電磁誘導加熱手段へ供給する電流をオン・オフ制御してもよい。
【００１３】
（１）の発明による遊技機は、ドリンクホルダーが保温機能のみを有しているので、安価にドリンクホルダー付き遊技機を提供できる。
【００１４】
（２）  前記保温手段は、電熱線であることを特徴とする（１）記載の遊技機。
【００１５】
電熱線は、ペルチェ効果を生じる保温・保冷素子と比較して、より安価である。
【００１６】
（３）  前記保温手段は、前記飲料缶自体を加熱させる電磁誘導加熱手段であることを特徴とする（１）記載の遊技機。
【００１７】
電磁誘導加熱手段は、電流の供給により生じる磁力線によって飲料缶自体を加熱する。従って、熱伝導することなく飲料缶自体を加熱でき、安全である。
【００１８】
（４）  前記ドリンクホルダーは、電力が供給される入力端子を備え、前記前面扉は、前記入力端子が接続される出力端子を備え、前記出力端子は、当該前面扉の前面下部に配置されることを特徴とする（１）から（３）のいずれかに記載の遊技機。
【００１９】
（４）の発明による遊技機では、入力端子と出力端子とを着脱自在な嵌合構造としてよい。嵌合構造とすることにより、ドリンクホルダーを筐体に対して着脱自在とすることができる。
【００２０】
（４）の発明による遊技機は、筐体に対しドリンクホルダーが着脱自在となる。筐体にドリンクホルダーを装着していない状態では、ドリンクホルダーへの電力供給がなされないため、電力を節約することが可能である。
【００２１】
（５）  前記飲料缶は、略６０度に保温されることを特徴とする（１）から（４）のいずれかに記載の遊技機。
【００２２】
人体に快適な飲料の温度は、略６０度と想定される。
【発明の効果】
【００２３】
本発明による遊技機は、ドリンクホルダーが保温機能のみを有しているので、安価にドリンクホルダー付き遊技機を提供できる。又、ドリンクホルダーが着脱自在であり、電力を節約することも可能である。
【発明を実施するための最良の形態】
【００２４】
以下、図面を参照して本発明を実施するための最良の形態を説明する。
【００２５】
図１は、本発明の第１実施形態による遊技機を示す斜視外観図である。図２は、第１実施形態による遊技機に備わるドリンクホルダーの斜視外観図である。図３は、本発明の第２実施形態による遊技機を示す外観図である。図４は、第２実施形態による遊技機に備わるドリンクホルダーの斜視概観図である。
【００２６】
最初に、第１実施形態による遊技機の構成を説明する。図１において、遊技機１は、例えばパチスロ機である。遊技機１は、遊技者のスタート操作に応じて、複数のリールを回転させて図柄を変動表示させ、一定時間後に自動的にあるいは遊技者の停止操作により各リールの回転を停止させ、リールの図柄が特定の組み合わせ（入賞図柄）になった場合にメダル又はコインを払い出すことで遊技を行う。
【００２７】
図１において、遊技機１は、開閉可能な前面扉２を有する筐体３により外形が形成されている。前面扉２の背後には、遊技に必要な複数種類の図柄が各々の外周面に描かれた３個のリール３１Ｌ・３１Ｃ・３１Ｒが回転自在に横一列に設けられている。各リール３１Ｌ・３１Ｃ・３１Ｒは、例えば、８０回転／分などの一定速度で回転する。
【００２８】
図１において、リール３１Ｌ・３１Ｃ・３１Ｒの下方には、略水平の台座部３２が形成されている。台座部３２の右側にはメダルを投入するためのメダル投入口３３が設けられている。メダル投入口３３に投入されたメダルは、クレジットされるか、ゲームに賭けられる。台座部３２の左側には、クレジットされているメダルを賭けるための１−ＢＥＴスイッチ３４、２−ＢＥＴ３５、及び最大ＢＥＴスイッチ３６が横並び状に設けられている。ＢＥＴスイッチ３４・３５・３６に対し押下操作がなされる。
【００２９】
図１において、１−ＢＥＴスイッチ３４は、１回の押し操作により、クレジットされているメダルのうちの１枚がゲームに賭けられ、２−ＢＥＴ３５は、１回の押し操作により、クレジットされているメダルのうちの２枚がゲームに賭けられ、最大ＢＥＴスイッチ３６は、１回のゲームに賭けることが可能な最大枚数のメダルが賭けられる。これらのＢＥＴスイッチ３４・３５・３６を押下操作することで、所定の表示ラインが有効化される。ＢＥＴスイッチ３４・３５・３６よりも奥側には、操作部３７が設けられている。操作部３７は遊技履歴などの情報を表示するために操作される。
【００３０】
図１において、台座部３２の前面部の左寄りには、遊技者がゲームで獲得したメダルのクレジット／払出を押しボタン操作で切り換えるＣ／Ｐスイッチ３８が設けられている。Ｃ／Ｐスイッチ３８の切り換えにより、前面扉２の正面下部のメダル払出口３９からメダルが払い出され、払い出されたメダルはメダル受部４０に貯められる。メダル受部４０の上部の左右には、効果音などを出音することで音による演出を行う一対のスピーカ４１Ｌ・４１Ｒが設けられている。
【００３１】
図１において、Ｃ／Ｐスイッチ３８の右側には、遊技者の操作によりリール３１Ｌ・３１Ｃ・３１Ｒを回転させるスタートレバー４２が所定の角度範囲で傾動可能に取り付けられている。
【００３２】
図１において、台座部３２の前面中央であって、スタートレバー４２の右側には、停止ボタンユニット４３が設けられている。停止ボタンユニット４３は、３個のリール３１Ｌ・３１Ｃ・３１Ｒの回転をそれぞれ停止させるために、遊技者が押圧操作可能な３個の停止ボタン４４Ｌ・４４Ｃ・４４Ｒを備えている。遊技者が停止ボタン４４Ｌを押圧操作すると、リール３１Ｌが停止し、停止ボタン４４Ｃを押圧操作するとリール３１Ｃが停止し、停止ボタン４４Ｒを押圧操作するとリール３１Ｒが停止する。
【００３３】
図１において、前面扉２における停止ボタンユニット４３の下部、すなわち前面扉２の前面下部には、遊技機の名称などを表示する下部パネル４５が設けられている。そして、下部パネル４５の左部分には、ドリンクホルダー４が設けられている。
【００３４】
次に、本発明の第１実施形態による遊技機に備わるドリンクホルダーの構成を説明する。図１及び図２において、ドリンクホルダー４は、飲料缶１０が載置される搭載台５を備えている。一方、前面扉２の下部前面に設けられた下部パネル４５は、前方に突出する段部４５Ａを設けている。ドリンクホルダー４の搭載台５は、下部パネル４５から前方側に突出しており、更に段部４５Ａからも突出して、ドリンクホルダー４が前面扉２に固定されている。
【００３５】
図２において、搭載台５の上面には、金属製であり円形の伝熱プレート６が配置されている。伝熱プレート６に飲料缶１０を載置することができる。伝熱プレート６の周囲は、搭載台５の上面よりも若干高くなるように、輪帯が突出している。飲料缶１０の載置部分を他の部分よりも実質的に窪ませて、飲料缶１０を安定して載置できる。伝熱プレート６は、保温手段としての電熱線（図示せず）を内部に有しており、電力が供給されて電熱線が発熱することにより伝熱プレート６が加熱される。そして、伝熱プレート６が加熱されて、飲料缶１０を加温することができる。
【００３６】
図２において、搭載台５には、傾倒又は転倒防止用のフレーム１１が設けられている。フレーム１１は、Ｕ字形の柵フレーム部１１Ａと、柵フレーム部１１Ａの両翼から垂下する一対の脚フレーム部１１Ｂ・１１Ｂを備えている。一対の脚フレーム部１１Ｂ・１１Ｂの下部が搭載台５の下部パネル４５側の上面に固定されることにより、柵フレーム部１１Ａが略水平を向いた状態でフレーム１１が搭載台５の上方に立設している。柵フレーム部１１Ａは、伝熱プレート６と対向するように配置され、遊技者は柵フレーム部１１Ａ内に飲料缶１０を挿入することにより、伝熱プレート６上へ飲料缶１０を載置できる。フレーム１１は、柵フレーム部１１Ａが伝熱プレート６に載置された飲料缶１０を囲むことにより飲料缶１０の傾倒又は転倒を防止する。
【００３７】
図２において、搭載台５の側面部分には、一対のスイッチ付きランプ１２が配置されている。例えば、電熱線が加熱しているときは、一方のスイッチ付きランプ１２が点灯し、電熱線が非加熱のときは、他方のスイッチ付きランプ１２が点灯してよく、電熱線に電力を供給しないときは、双方のスイッチ付きランプ１２が消灯するようにしてもよい。遊技者は、ドリンクホルダー４が作動しているか否かを確認できる。又、スイッチは押しボタンスイッチであってよく、一方のスイッチ付きランプ１２を押圧することにより、制御部をオンにでき、他方のスイッチ付きランプ１２を押圧することにより、制御部をオフにできる。
【００３８】
次に、第１実施形態による遊技機の作用を説明する。例えば、筐体３の内部には、電熱線への電力供給をオン・オフする制御部が設けられている。電熱線は、この制御部に接続される。制御部は、電熱線の電力をオン・オフする切り換えスイッチを有してよく、制御部は、電熱線の温度を感知する熱感知部からの信号で切り換えスイッチを切り換える。制御部は、電熱線の温度が一定値以下のとき、切り換えスイッチをオンとする。一方、電熱線の温度が一定値以上となったとき、切り換えスイッチをオフとする。このようにして、電熱線の温度を一定の温度範囲内に制御できる。飲料缶１０が略６０℃で保温されるように、電熱線による加熱が制御されることが好ましい。この温度は、飲料に好適な保温温度である。なお、熱感知部としては、例えば、バイメタル式サーモスタットを使用できる。
【００３９】
図２において、保温手段としては、電熱線に代えて電磁誘導加熱手段を用いることができる。電磁誘導加熱手段の場合、金属製の伝熱プレート６に代えて、セラミックなどの絶縁体のトッププレートを用いる。トッププレートの下方に、加熱コイルを配置し、加熱コイルへの電流供給により磁力線を発生させ、磁力線をトッププレート上の飲料缶１０に通じさせて飲料缶１０を誘導加熱する。
【００４０】
電磁誘導加熱手段の場合には、筐体３の内部に温調器を設けてよく、加熱コイルをこの温調器に接続する。トッププレートに温度センサを配置してよく、温度センサを温調器に接続する。温調器は、温度センサの信号値により、加熱コイルへの電流供給をオン・オフ制御する。温調器が加熱コイルをオン・オフ制御することにより、飲料缶１０の温度を略６０℃に保温できる。電磁誘導加熱手段は、トッププレートなどの構成部材が加温されないため、安全性が高いというメリットがある。
【００４１】
本発明の第１実施形態では、飲料缶１０が載置される搭載台５が筐体の内部からオン・オフ制御される保温手段のみを有しているので、安価にドリンクホルダー付き遊技機を提供できる。
【００４２】
次に、本発明の第２実施形態による遊技機の構成を説明する。図３に示された第２実施形態による遊技機１は、図１に示された第１実施形態による遊技機１と構成が略同じであり、同じ構成品は説明を割愛することがある。又、図１及び図２に示された構成品は、図３及び図４では、同じ符号を付している。
【００４３】
図３又は図４において、ドリンクホルダー４の搭載台５には、入力端子としてのソケット８が設けられ、筐体３の前面扉２には、出力端子としてのプラグ９が設けられている。
【００４４】
図３又は図４において、ソケット８は、搭載台５の端面からハウジングが突出している。ソケット８は、プラグ９と電気接続する一対のソケット端子８Ａ・８Ａが突出している。ソケット端子８Ａは、前述した電熱線や電磁誘導加熱手段からなる保温手段と搭載台５の内部で接続され、保温手段に電流を供給する。電熱線や電磁誘導加熱手段からなる保温手段は、第１実施形態と同様に筐体の内部からオン・オフ制御される。熱感知部や温度センサなどの信号を送信する組となる信号ピン（図示せず）をソケット８及びプラグ９に設けてもよい。
【００４５】
図３又は図４において、ソケット８のハウジングは、外形が横長矩形状である。又、ソケット８のハウジングは、搭載台５の外形よりも小さくなっており、搭載台５とは段差を有して連結している。
【００４６】
次に、本発明の第２実施形態による遊技機の作用を説明する。図３又は図４において、プラグ９は前面扉２の前面下部に設けられている。プラグ９はソケット８が着脱自在に嵌合し、ソケット８の外形と嵌合する内部が空洞の箱形状となっている。プラグ９の内部には、ソケット端子８Ａが接続されるプラグ端子（図示省略）が設けられている。プラグ端子は、筐体３内部の制御部と接続されており、ソケット端子８Ａを介して保温手段へのオン・オフ制御が可能である。
【００４７】
図３又は図４において、ソケット８を前面扉２のプラグ９に嵌合させ、ソケット端子８Ａをプラグ端子に接続して、保温手段をオン・オフ制御できる。保温手段としては、電熱線又は電磁誘導加熱手段を用いるため、ドリンクホルダー付き遊技機を安価に提供できる。ソケット８をプラグ９に嵌合させると、ソケット８はプラグ９に安定して保持され、ドリンクホルダー４が前面扉２に安定的に保持される。
【００４８】
本発明の第２実施形態では、ドリンクホルダー４が筐体の内部からオン・オフ制御される保温手段のみを有しているので、安価にドリンクホルダー付き遊技機を提供できる。又、筐体３に対しドリンクホルダー４が着脱自在であり、ドリンクホルダー４を装着していない状態では、ドリンクホルダー４に対して、暗電流を含む電力供給がなされないため、電力を節約することが可能である。
【図面の簡単な説明】
【００４９】
【図１】本発明の第１実施形態による遊技機を示す斜視外観図である。
【図２】第１実施形態による遊技機に備わるドリンクホルダーの斜視外観図である。
【図３】本発明の第２実施形態による遊技機を示す外観図である。
【図４】第２実施形態による遊技機に備わるドリンクホルダーの斜視概観図である。
【符号の説明】
【００５０】
１  遊技機
２  前面扉
３  筐体
４  ドリンクホルダー
５  搭載台
６  伝熱プレート
８  ソケット（入力端子）
９  プラグ（出力端子）
１０  飲料缶  
【図１】
2008110041.tif 000003
【図２】
2008110041.tif 000004
【図３】
2008110041.tif 000005
【図４】
2008110041.tif 000006